【手続補正書】
【提出日】令和3年6月7日(2021.6.7)
【手続補正１】
【補正対象書類名】特許請求の範囲
【補正対象項目名】全文
【補正方法】変更
【補正の内容】
【特許請求の範囲】
【請求項１】
回転軸と、
前記回転軸の回転に伴って回転するものであって、前記回転軸の軸方向に対して交差している回転体面を有する回転体と、
前記回転軸の回転に伴って回転しないものであって、前記回転体面と前記軸方向に対向する固定体面を有する固定体と、
前記回転体に形成されたベーン溝に挿入され、前記回転体の回転に伴って前記軸方向に移動しながら回転するベーンと、
前記回転体面及び前記固定体面を用いて区画され、前記ベーンが前記軸方向に移動しながら回転することによって流体の吸入及び圧縮が行われる圧縮室と、
を備え、
前記固定体面は、
前記回転体面と当接する固定体当接面と、
前記固定体当接面に対して前記回転軸の周方向の両側に設けられ、前記固定体当接面から前記周方向に離れると前記回転体面から離れるように前記軸方向に湾曲した一対の湾曲面と、
を含み、
前記圧縮室は、
前記回転体面と前記固定体当接面との当接箇所に対して前記回転体の回転方向側に設けられ、流体の吸入が行われる吸入空間と、
前記当接箇所に対して前記回転方向側とは反対側に設けられ、流体の圧縮が行われる圧縮空間と、
を含み、
前記固定体当接面には、当該固定体当接面から凹んだシール凹部が形成されており、
前記シール凹部内には、前記回転体面と当接することによって前記回転体面と前記固定体当接面との間をシールする固定体シール部材が設けられており、
前記シール凹部は、前記回転軸の径方向外側から前記回転軸の径方向内側に向けて延びており、
前記シール凹部の少なくとも一部は、前記回転軸の径方向に対して傾斜していることを特徴とする圧縮機。
【請求項２】
前記シール凹部は、
凹部底面と、
前記凹部底面から起立した第１凹部側面と、
前記凹部底面から起立し且つ前記第１凹部側面よりも前記回転方向側に配置された第２凹部側面と、
を有し、
前記固定体シール部材は、
前記回転体面と当接するシール表面と、
前記シール表面とは反対側に配置され、前記凹部底面と対向するシール裏面と、
を有し、
前記固定体シール部材は、前記シール裏面と前記凹部底面との間に形成された背圧空間によって前記回転体面に向けて押圧される請求項１に記載の圧縮機。
【請求項３】
前記固定体シール部材は、前記両凹部側面のうち少なくとも一方に対して隙間を有した状態で前記シール凹部内に配置されている請求項２に記載の圧縮機。
【請求項４】
前記シール裏面における前記吸入空間側の端部には、前記凹部底面に向けて突出した突出部が設けられており、
前記背圧空間は、前記突出部よりも前記圧縮空間側に配置されている請求項２又は請求項３に記載の圧縮機。
【請求項５】
前記シール凹部は、前記回転軸の径方向外側から前記回転軸の径方向内側に向かうに従って前記吸入空間側に配置されるように前記径方向に対して傾斜している請求項１〜４のうちいずれか一項に記載の圧縮機。
【請求項６】
前記ベーンは、
前記ベーン溝に挿入されているベーン本体と、
前記ベーン本体に対して前記軸方向に移動可能な状態で前記ベーン本体における前記軸方向の端面に取り付けられ、前記固定体面に当接するベーンシール部材と、
を備え、
前記ベーンシール部材は樹脂製であり、前記固定体シール部材は金属製である請求項１〜５のうちいずれか一項に記載の圧縮機。
【請求項７】
前記回転体面及び前記固定体面と協働して前記圧縮室を区画するのに用いられるシリンダ内周面を有し、前記回転体及び前記固定体を収容するシリンダ部と、
前記シリンダ部に設けられ、前記圧縮空間と連通することにより前記圧縮空間にて圧縮された圧縮流体を吐出させる吐出通路と、
を備えている請求項１〜６のうちいずれか一項に記載の圧縮機。
【手続補正２】
【補正対象書類名】明細書
【補正対象項目名】０００５
【補正方法】変更
【補正の内容】
【０００５】
上記目的を達成する圧縮機は、回転軸と、前記回転軸の回転に伴って回転するものであって、前記回転軸の軸方向に対して交差している回転体面を有する回転体と、前記回転軸の回転に伴って回転しないものであって、前記回転体面と前記軸方向に対向する固定体面を有する固定体と、前記回転体に形成されたベーン溝に挿入され、前記回転体の回転に伴って前記軸方向に移動しながら回転するベーンと、前記回転体面及び前記固定体面を用いて区画され、前記ベーンが前記軸方向に移動しながら回転することによって流体の吸入及び圧縮が行われる圧縮室と、を備え、前記固定体面は、前記回転体面と当接する固定体当接面と、前記固定体当接面に対して前記回転軸の周方向の両側に設けられ、前記固定体当接面から前記周方向に離れると前記回転体面から離れるように前記軸方向に湾曲した一対の湾曲面と、を含み、前記圧縮室は、前記回転体面と前記固定体当接面との当接箇所に対して前記回転体の回転方向側に設けられ、流体の吸入が行われる吸入空間と、前記当接箇所に対して前記回転方向側とは反対側に設けられ、流体の圧縮が行われる圧縮空間と、を含み、前記固定体当接面には、当該固定体当接面から凹んだシール凹部が形成されており、前記シール凹部内には、前記回転体面と当接することによって前記回転体面と前記固定体当接面との間をシールする固定体シール部材が設けられており、前記シール凹部は、前記回転軸の径方向外側から前記回転軸の径方向内側に向けて延びており、前記シール凹部の少なくとも一部は、前記回転軸の径方向に対して傾斜していることを特徴とする。
【手続補正３】
【補正対象書類名】明細書
【補正対象項目名】０００８
【補正方法】変更
【補正の内容】
【０００８】
この点、本構成によれば、固定体シール部材によって回転体面と固定体面との間がシールされている。これにより、吸入空間と圧縮空間との間をシールする当接箇所のシール性を向上させることができ、それを通じて圧縮空間内の圧縮流体が吸入空間に漏れることを抑制できる。
また、シール凹部の少なくとも一部が径方向に対して傾斜しているため、固定体シール部材とベーンとが同時に当接する面積を小さくできる。これにより、固定体シール部材との当接に起因してベーンの回転に支障が生じることを抑制できる。
【手続補正４】
【補正対象書類名】明細書
【補正対象項目名】００１６
【補正方法】削除
【補正の内容】
【手続補正５】
【補正対象書類名】明細書
【補正対象項目名】０１２６
【補正方法】変更
【補正の内容】
【０１２６】
また、３つのパーツ室のうち第１フロント圧縮室Ａ４ａよりも回転方向Ｍ側とは反対側に配置されているパーツ室を第２フロント圧縮室Ａ４ｂとする。第２フロント圧縮室Ａ４ｂの少なくとも一部は、フロント当接箇所Ｐｆに対して回転方向Ｍ側とは反対側に配置されている。
【手続補正６】
【補正対象書類名】明細書
【補正対象項目名】０１３０
【補正方法】変更
【補正の内容】
【０１３０】
図７に示すように、フロント圧縮室Ａ４と同様に、リア圧縮室Ａ５は、３つのベーン１３１によって、第１リア圧縮室Ａ５ａと、第１リア圧縮室Ａ５ａよりも回転方向Ｍ側とは反対側に配置されている第２リア圧縮室Ａ５ｂと、周方向における第１リア圧縮室Ａ５ａと第２リア圧縮室Ａ５ｂとの間に配置されている第３リア圧縮室Ａ５ｃと、に仕切られている。第１リア圧縮室Ａ５ａ、第２リア圧縮室Ａ５ｂ、第３リア圧縮室Ａ５ｃは、第１フロント圧縮室Ａ４ａ、第２フロント圧縮室Ａ４ｂ、第３フロント圧縮室Ａ４ｃと同様であるため、詳細な説明を省略する。